【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
発電手段と、
前記発電手段で発電された電気エネルギを蓄積する蓄電手段と、
前記蓄電手段に蓄積された前記電気エネルギで駆動される計時制御手段と、
前記計時制御手段によって制御されて時刻表示を行う時刻表示手段と、
前記発電手段の発電状態を検出する発電検出手段と、
指針および該指針を正逆両方向に駆動するアクチュエータを備えるとともに、前記発電検出手段から出力される検出結果信号に基づいて発電状態を表示する発電状態表示手段と、
を備えた発電機能付き電子時計であって、
前記発電状態表示手段は、
前記発電検出手段からの検出結果信号に基づいて、検出した発電電流が予め設定された閾値以上であるか否かを判定する発電レベル判定部と、
前記発電レベル判定部において、前記発電電流が閾値以上であると判定された場合には、前記アクチュエータを、前記指針が第１目標位置に向かう方向に駆動し、前記発電電流が閾値未満であると判定された場合には、前記指針が第２目標位置に向かう方向に駆動する駆動制御部と、
を備えることを特徴とする発電機能付き電子時計。
【請求項２】
請求項１に記載の発電機能付き電子時計において、
前記閾値は複数設けられ、
前記第１目標位置および第２目標位置は、前記発電検出手段で検出されて前記各閾値と比較することで求められる発電電流の大きさに応じて変更されることを特徴とする発電機能付き電子時計。
【請求項３】
請求項１に記載の発電機能付き電子時計において、
前記第１目標位置および第２目標位置の少なくとも一方は、前記発電検出手段で検出された発電電流の積算値に応じてその位置が変更されることを特徴とする発電機能付き電子時計。
【請求項４】
請求項１から請求項３のいずれかに記載の発電機能付き電子時計において、
前記駆動制御部は、前記発電レベル判定部において、前回の判定と異なる判定結果となった場合には、その時点で前回の判定による駆動を中断し、今回の判定結果に基づく新しい目標位置に対して指針を移動させることを特徴とする発電機能付き電子時計。
【請求項５】
請求項１から請求項４のいずれかに記載の発電機能付き電子時計において、
前記駆動制御部は、前記発電検出手段からの検出結果信号を複数個積算した積算値、または、複数個の検出結果信号の平均値に基づいて設定される表示位置に前記指針を移動することを特徴とする発電機能付き電子時計。
【請求項６】
請求項１から請求項５のいずれかに記載の発電機能付き電子時計において、
前記駆動制御部は、指針を移動する速度を、その移動方向によって切り替えることを特徴とする発電機能付き電子時計。
【請求項７】
請求項１から請求項６のいずれかに記載の発電機能付き電子時計において、
前記発電状態表示手段は、通常は、前記指針を他の情報表示に利用し、前記発電手段において発電が行われている際に、前記発電状態の表示に切り替えることを特徴とする発電機能付き電子時計。
【請求項８】
請求項１から請求項６のいずれかに記載の発電機能付き電子時計において、
前記発電状態表示手段は、通常は、前記指針を他の情報表示に利用し、前記発電検出手段において所定の発電量を検出した場合に、前記指針を発電状態の表示に切り替えることを特徴とする発電機能付き電子時計。
【請求項９】
請求項１から請求項６のいずれかに記載の発電機能付き電子時計において、
前記発電状態表示手段は、通常は、前記指針を他の情報表示に利用し、一定時間内に所定の発電量の発電がある状態が所定時間以上継続した場合に、前記指針を発電状態の表示に切り替えることを特徴とする発電機能付き電子時計。
【請求項１０】
請求項１から請求項６のいずれかに記載の発電機能付き電子時計において、
前記発電状態表示手段は、通常は、前記指針を他の情報表示に利用し、１回の発電で所定の発電量があることが所定時間以内に所定回数あった場合に、前記指針を発電状態の表示に切り替えることを特徴とする発電機能付き電子時計。
【請求項１１】
請求項１から請求項６のいずれかに記載の発電機能付き電子時計において、
前記発電状態表示手段は、通常は、前記指針を他の情報表示に利用し、１回の発電で所定の発電量があり、その後、所定時間以内に所定量の発電を検出した場合に、前記指針を発電状態の表示に切り替えることを特徴とする発電機能付き電子時計。
【請求項１２】
請求項１から請求項６のいずれかに記載の発電機能付き電子時計において、
外部操作部材を備え、
前記発電状態表示手段は、通常は、前記指針を他の情報表示に利用し、前記外部操作部材の所定操作を検出した場合に、前記指針を発電状態の表示に切り替えることを特徴とする発電機能付き電子時計。
【請求項１３】
請求項１から請求項６のいずれかに記載の発電機能付き電子時計において、
外部操作部材と、この外部操作部材の操作を検出するスイッチを備え、
前記発電状態表示手段は、通常は、前記指針を他の情報表示に利用し、前記スイッチによって操作部材の操作を検出した場合に、前記指針を発電状態の表示に切り替えることを特徴とする発電機能付き電子時計。
【請求項１４】
請求項７から請求項１３のいずれかに記載の発電機能付き電子時計において、
前記発電状態表示手段は、通常は、前記指針によって時計の持続時間を表示することを特徴とする発電機能付き電子時計。
【請求項１５】
請求項７から請求項１４のいずれかに記載の発電機能付き電子時計において、
前記発電状態表示手段は、発電状態の表示を行っている際に、一定時間以上でかつ所定値以上の発電が無かった場合には、通常の表示状態に復帰することを特徴とする発電機能付き電子時計。
【請求項１６】
請求項７から請求項１４のいずれかに記載の発電機能付き電子時計において、
前記発電状態表示手段は、発電状態の表示に切り替わってから、一定時間経過後に通常の表示状態に復帰することを特徴とする発電機能付き電子時計。
【手続補正２】
【補正対象書類名】明細書
【補正対象項目名】０００６
【補正方法】変更
【補正の内容】
【０００６】
本発明は、発電手段と、前記発電手段で発電された電気エネルギを蓄積する蓄電手段と、前記蓄電手段に蓄積された前記電気エネルギで駆動される計時制御手段と、前記計時制御手段によって制御されて時刻表示を行う時刻表示手段と、前記発電手段の発電状態を検出する発電検出手段と、指針および該指針を正逆両方向に駆動するアクチュエータを備えるとともに、前記発電検出手段から出力される検出結果信号に基づいて発電状態を表示する発電状態表示手段と、を備えた発電機能付き電子時計であって、
前記発電状態表示手段は、前記発電検出手段からの検出結果信号に基づいて、検出した発電電流が予め設定された閾値以上であるか否かを判定する発電レベル判定部と、前記発電レベル判定部において、前記発電電流が閾値以上であると判定された場合には、前記アクチュエータを、前記指針が第１目標位置に向かう方向に駆動し、前記発電電流が閾値未満であると判定された場合には、前記指針が第２目標位置に向かう方向に駆動する駆動制御部と、を備えることを特徴とする。
【手続補正３】
【補正対象書類名】明細書
【補正対象項目名】０００７
【補正方法】変更
【補正の内容】
【０００７】
ここで、発電手段としては、回転錘で自動的にロータを回転させてその回転エネルギを電気エネルギに変換する自動巻き発電機、りゅうず等を操作して手動でロータを回転させてその回転エネルギを電気エネルギに変換する手巻き発電機、光エネルギを電気エネルギに変換する太陽電池、温度差で発電して熱エネルギを電気エネルギに変換する熱発電機等の各種発電機が利用できる。
また、アクチュエータとしては、ステッピングモータ、圧電モータなどの指針を駆動可能な各種モータが利用できる。なお、通常は、指針を回転駆動させればよいが、ラック及びピニオンのように、モータの回転駆動を直線駆動に変換し、指針を直線的に移動させてもよい。
さらに、前記発電検出手段としては、発電手段の種類などに応じて設定すればよく、発電手段における発電量をリアルタイムに検出できるものが好ましい。例えば、発電手段として、ロータを回転させてコイルを鎖交する磁束を変化させることで発電する発電機を用いた場合には、発電機から出力される発電電流は交流電流であるため、全波整流回路等で整流された発電電流を検出する電流検出手段などが利用できる。
また、前記第１目標位置および第２目標位置は、例えば、指針が一定角度範囲で往復駆動可能に設けられている場合には、その移動可能範囲の両端部をそれぞれ第１目標位置および第２目標位置とすればよい。
【手続補正４】
【補正対象書類名】明細書
【補正対象項目名】０００８
【補正方法】変更
【補正の内容】
【０００８】
本発明によれば、発電状態を検出する発電検出手段と、この発電検出手段からの検出結果信号に基づいて発電状態を表示する発電状態表示手段とを備えているので、時計の使用者は、発電手段における発電状態をリアルタイムに確認することもでき、十分に発電されているかを容易に確認することができる。このため、使用者は、発電量が不十分であれば、発電量を向上させるための対応を行うことができ、確実に発電させることができる。
また、発電状態表示手段は、時刻表示手段とは別に設けられているので、時刻表示と発電状態の表示とを同時に行うこともでき、電子時計の使用者にとって利便性が高い。
さらに、発電状態表示手段として、アクチュエータで駆動される指針を設けたので、指針の移動によって発電状態をアナログ的にかつ連続的に表示することができる。従って、自動車のエンジンの回転数を表示するタコメータのように、発電状態をリアルタイムにかつ視覚的に表示でき、使用者は発電状態を感覚的にかつ容易に把握できる。
また、このような構成では、前記検出結果信号つまり検出した発電電流が閾値以上であるか否かのみで駆動目標を切り替えているので、処理が簡単になり、制御回路や制御プログラムを簡易化できる。その上、簡易な処理でありながら、実際の発電状態を視覚的に把握しやすい動作を行うことができ、使用者にとって違和感無く、確認しやすい表示を行うことができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】